(57)【要約】【課題】センサーを用いて身体状態の検出を行う端末は、予め設定された異常レベルでしか検出することができないか、端末毎に異常レベルを設定しなければならず、誤報が多かった。【解決手段】身体情報発信端末は、複数の異なる状態を取得可能なセンサーを有し、センサーが取得した情報と個人情報と気象情報と時刻の情報とを利用して判断する情報を、活動情報として発信し、身体情報受信端末は、活動情報の受信を行い、活動情報を文字や記号や音により得ることができる。これによって、身体情報受信端末所有者は、活動情報の変化情報を得ることが可能となるため、異常レベルを設定しなくても、身体情報発信端末装着者の異常状態を察知することが可能となる。【選択図】図１
2006055189.tif 000002
【特許請求の範囲】
【請求項１】
身体に装着し身体の状態を検出して活動情報として発信する身体情報発信端末と、該活動情報を受信するとともに内容を表現する身体情報受信端末と、を有し、
前記身体情報発信端末は、温度センサーと振動センサーと光センサーと加速度センサーとを有する検出手段と、
時刻の計測を行う計時手段と、該計時手段から時刻情報を利用してカレンダー情報を得るカレンダー情報生成手段と、
身体の情報を格納する個人情報格納手段と、
気象情報を格納する気象情報格納手段と、
前記検出手段から得られた情報と前記時刻情報と前記カレンダー情報と前記個人情報格納手段に格納している情報と前記気象情報格納手段に格納している情報とを利用して身体の状態を判断する判断手段と、
該判断手段の内容を前記活動情報として送信する送受信手段と、を有し、
前記身体情報受信端末は、前記活動情報を受信する受信手段と、利用者に対して前記活動情報を文字や記号や音を利用しての伝達する情報表現手段と、
を有することを特徴とする活動把握システム。
【請求項２】
前記温度センサーは、身体の皮膚表面の温度を検出する第1の温度センサーと、気温を検出する第２の温度センサーとからなり、
前記振動センサーは、身体の動作を振動として検出し、
前記光センサーは、前記身体情報発信端末の周囲の照度を検出し、
前記加速度センサーは、前記身体情報発信端末に加わる衝撃や急激な加速度を検出し、
前記送受信手段は、電波もしくは赤外線を利用し、前記活動情報を前記身体情報受信端末に送信することを特徴とする請求項１に記載の活動把握システム。
【請求項３】
前記光センサーは、前記身体情報発信端末の駆動電圧を発生する太陽電池からの発電電圧から前記身体情報発信端末の周囲の照度を検出することを特徴とする請求項２に記載の活動把握システム。
【請求項４】
前記身体情報発信端末は、入力手段を有し、前記個人情報格納手段と前記気象情報格納手段とに格納している情報と前記カレンダー情報との内容の書き換えができることを特徴とする請求項１から３のいずれか１つに記載の活動把握システム。
【発明の詳細な説明】
【技術分野】
【０００１】
この発明は、介護が必要な者や高齢者や疾病を患っている者の状態を、離れた場所で把握することができるシステムに関する。詳しくは、体温などの身体情報や動作しているかなどの動作情報を検出し、活動情報として発信する端末と、その活動情報を受信する端末とを有するシステムに関する。
【背景技術】
【０００２】
近年、病気社会や高年齢化社会といわれるように、疾病を抱えた者や核家族化により専門の施設に入居して生活している高齢者などが増えている。このような介護が必要な者や高齢者や疾病を患っている者（以後、単に患者と称する）は、急に疾病を発病したり容態が変化する場合がある。このような患者には、看護士や介護をする者（以下、単に介護者と称する）が常に近くに待機することで容態の変化を察することができ、早急な処置や対応が可能である。しかしながら、介護者にとっては、常に患者の近くに待機しなければならず、その負担は大きい。
そこで、患者の生活行動や状態を少ない負担で把握するシステムが望まれている。通常の生活行動や状態から異なる生活行動や状態への様子の変化が得られた場合、急な疾病や怪我等の予測が可能となることから、このようなシステムは非常に重要である。
【０００３】
このようなシステムは、多くの提案がなされている。例えば、患者に端末を装着し、この端末が患者の異常状態を検出し、ナースステーション等に通知するものである（例えば、特許文献１参照。）。
特許文献１に示した従来技術は、患者の体に装着した状態検出手段が転倒等の異常事態を検出すると、ナースステーションや介護者にその緊急信号を送信するものである。
状態検出手段は、センサーを有しており、このセンサーが患者の状態を検出する。状態検出手段が異常状態を検出すると、発信手段が緊急信号を発信する。緊急信号を受信機が受信し、患者の位置を特定する位置検出手段により、患者の異常状態と患者のいる場所とを介護者が知り得るものである。
【０００４】
この特許文献１に示した従来技術では、状態検出手段のセンサーとして２つのセンサーを用いている。加速度を検出する加速度変換器と傾きを検出する水銀リレーである。
特許文献１に示した従来技術では、患者の転倒などの異常状態を検出するためにこれらの２つのセンサーを用いているが、加速度と傾きとから得られる情報だけでは患者の異常状態を正確に知ることはできない。例えば、患者が誤って状態検出手段を他の物体にぶつけたり、患者が入浴等で状態検出手段を身体から外した際にこれを落下させたりするなど、身体の状態とは無関係に状態検出手段に衝撃等が加わった場合に、患者の異常状態として緊急信号が送信されてしまうのである。所謂、誤報である。
【０００５】
このような誤報の問題を回避するために、患者の状態が異常か正常かを検出する際に、検出した衝撃等が適正かどうかを判断し、異常状態を検出する方法が提案されている（例えば、特許文献２参照。）。
特許文献２に示した従来技術は、患者の身体に取り付けたセンサーが、患者の身体に起こる衝撃などの力学的な運動を検出する。その力学的な運動が異常状態かどうかを予め設定した異常レベルとの比較によって検出するものである。異常レベルは患者によってそれぞれ異なるので、患者ごとに適正なレベル設定を行い、一定の水準以上の異常状態を患者に起こった異常状態とするものである。
【０００６】
【特許文献１】特開昭６３−２４２８号公報（第２頁、第１図）
【特許文献２】特開平６−２１７９４８号公報（第２頁、第１図）
【発明の開示】
【発明が解決しようとする課題】
【０００７】
特許文献２に示した従来技術は、患者の身体に取り付けたセンサーが検出した異常状態のレベルを決めることができるため、誤報をある程度低減することができる。しかしながら、センサーが患者の身体に装着しているかどうかを判断することはできないため、センサーを外した状態でのセンサーの落下など、患者の転倒と同じような大きさの衝撃の発生に際しては、誤報は免れないという問題があった。
さらに、特許文献１と特許文献２とに示した従来技術では、患者の異常状態を検出する際に、加速度や傾きなどの情報を利用しているが、患者の状態を検出するにはこれらの情報だけでは充分ではない。例えば、患者の心拍数や血圧、体温などの身体的情報を検出することにより、異常状態の検出はより正確になる。しかしながら、それらの検出手段やセンサーを装着すると、総じて患者の身体に取り付けたセンサーは大掛かりになってしまい、患者の負担が大きくなってしまうという問題があった。
したがって、患者の負担が大きくならず、より簡便な手法で患者の異常状態の検出が可能で、誤報の少ないシステムが求められているものである。
【課題を解決するための手段】
【０００８】
以上のような問題を解決するために、本発明では以下に示す構成を採用する。
【０００９】
身体に装着し身体の状態を検出して活動情報として発信する身体情報発信端末と、活動情報を受信するとともに内容を表現する身体情報受信端末と、を有し、
身体情報発信端末は、温度センサーと振動センサーと光センサーと加速度センサーとを有する検出手段と、時刻の計測を行う計時手段と、計時手段から時刻情報を利用してカレンダー情報を得るカレンダー情報生成手段と、身体の情報を格納する個人情報格納手段と、気象情報を格納する気象情報格納手段と、検出手段から得られた情報と時刻情報とカレンダー情報と個人情報格納手段に格納している情報と気象情報格納手段に格納している情報とを利用して身体の状態を判断する判断手段と、判断手段の内容を活動情報として送信する送受信手段と、を有し、
身体情報受信端末は、活動情報を受信する受信手段と、利用者に対して活動情報を文字や記号や音を利用しての伝達する情報表現手段と、を有することを特徴とする。
【００１０】
温度センサーは、身体の皮膚表面の温度を検出する第1の温度センサーと気温を検出する第２の温度センサーとからなり、振動センサーは、身体の動作を振動として検出し、光センサーは、身体情報発信端末の周囲の照度を検出し、加速度センサーは、身体情報発信端末に加わる衝撃や急激な加速度を検出し、送受信手段は、電波もしくは赤外線を利用し、活動情報を身体情報受信端末に送信することを特徴とする。
【００１１】
光センサーは、身体情報発信端末の駆動電圧を発生する太陽電池からの発電電圧から身体情報発信端末の周囲の照度を検出することを特徴とする。
【００１２】
身体情報発信端末は、入力手段を有し、個人情報格納手段と気象情報格納手段との内容の書き換えができることを特徴とする。
【発明の効果】
【００１３】
本発明の活動把握システムは、患者の身体に装着し、身体の状態、例えば、体温などの身体情報や患者が動作しているかなどの動作情報を検出する。そして、予め格納してある情報を利用して、身体情報と動作情報とを利用し活動情報として発信する身体情報発信端末と、活動情報を受信するとともに内容を表現する身体情報受信端末と、を有している。
身体情報発信端末は、温度センサーと振動センサーと加速度センサーと光センサーとを有する検出手段と、時刻情報と、カレンダー情報と、身体の情報を格納する個人情報格納手段と、気象情報を格納する気象情報格納手段と、検出手段から得られた情報と個人情報格納手段に格納している情報と気象情報格納手段に格納している情報と、から身体の状態を判断する判断手段によって、身体の状態の判断が行われる。
【００１４】
温度センサーは、身体の皮膚表面の温度を検出する第１の温度センサーと、気温を検出する第２の温度センサーとからなり、身体情報発信端末が身体に装着されているかの判断材料となる。振動センサーは、身体の動作を振動として検出することによって、活動があるかの判断材料となる。光センサーは、身体情報発信端末の周囲の照度を検出することによって、就寝しているかの判断材料となる。加速度センサーは、身体情報発信端末に加わる衝撃や急激な加速度を検出することによって、転倒の判断材料となる。
【００１５】
計時手段は、時刻情報の計測を行うものである。カレンダー情報生成手段は、この時刻情報を利用してカレンダー情報を生成するものである。
【００１６】
身体情報発信端末に設ける各種センサーが検出した情報の一部または全ては、身体情報発信端末に設ける送受信手段から発信され、身体情報受信端末の受信手段によって受信される。受信した各種情報は、文字や記号または音によって、身体情報受信端末の利用者に伝達することができ、情報の内容から患者が平常状態であるのか、異常状態であるかの判断材料を提供することが可能となる。
【００１７】
本発明の最大の特徴は、複数のセンサーと格納手段に格納している情報とを利用して患者の状態の判断を行う点である。
【００１８】
例えば、光センサーが検出する照度と、計時手段によって計測する時刻情報、時刻情報を利用して生成するカレンダー情報、気象情報に含まれる日の出／日の入時刻情報によって、身体情報発信端末装着者（患者）が活動している環境を知り得ることができる。これによって、時刻情報と、カレンダー情報と、日の出／日の入時刻情報から、光センサーが検出した照度が明るいにも関らず、時刻情報が、日の出／日の入時刻の範囲を越えている場合には、室内で活動していると知り得ることができる。
また、第１の温度センサーから検出する温度と第２の温度センサーから検出する温度とに大きな差がある場合は、身体情報発信端末を装着しており、そうでない場合は外していると知り得ることができる。
【００１９】
すなわち、２つの温度センサーと振動センサーと加速度センサーと光センサーとから得られる情報と、患者の個人の情報や気象情報、さらには時間情報やカレンダー情報を利用して患者の状態の判断を行うことで、身体情報受信端末の利用者（例えば、介護者）に対して誤報が少なくなるのである。
【発明を実施するための最良の形態】
【００２０】
以下図面を用いて本発明を実施する最良の形態における活動把握システムについての構成を説明する。
図１は、本発明の活動把握システムの構成を示す概略図である。
図２は、本発明の活動把握システムの身体情報発信端末を構成する回路ブロック図である。
図３は、本発明の活動把握システムの身体情報受信端末を構成する回路ブロック図である。
図４は、本発明の活動把握システムの身体情報発信端末の、第１の温度センサーと、第２の温度センサーとを、装着した様子を示した図である。
図５は、本発明の活動把握システムの身体情報発信端末の個人情報格納手段に格納している情報の構成を示したブロック図である。
図６は、本発明の活動把握システムの身体情報発信端末の気象情報格納手段に格納している情報の構成を示したブロック図である。
図７は、本発明の活動把握システムの身体情報発信端末の中央演算処理装置での割り込み処理の流れを示すフロー図である。
図８は、本発明の活動把握システムの身体情報発信端末の判断手段および送受信手段での処理の流れを示すフロー図である。
図９は、本発明の活動把握システムの身体情報発信端末の判断手段および送受信手段での処理の流れを示すフロー図である。
図１０は、本発明の活動把握システムの身体情報発信端末の判断手段および送受信手段での処理の流れを示すフロー図である。
図１１は、本発明の活動把握システムの身体情報発信端末の判断手段での端末装着状態を判断する条件を示すマトリックス図である。
図１２は、本発明の活動把握システムの身体情報発信端末の判断手段での端末照度を判断する条件を示すマトリックス図である。
図１３は、本発明の活動把握システムの身体情報受信端末で情報を受信した場合の表示例を示した図である。
【００２１】
［全体システムの説明：図１］
まず、図１を用いて本発明の活動把握システムの構成を説明する。図１は本発明の活動把握システムの構成を示す概略図である。
図１において、１は活動把握システム、２は身体情報発信端末、３は身体情報受信端末、１６は第１の温度センサー、１７は第２の温度センサー、１８は振動センサー、１９は加速度センサー、２０は光センサー、３６は表示装置、５０は個人情報格納手段、５１は気象情報格納手段、５２は計時手段、５３は判断手段、５４は送受信手段、５５は検出手段、６２はカレンダー情報生成手段である。表示装置３６は、情報表現手段として文字や記号を表示し情報を表現するものであり、液晶表示装置などを用いる。
【００２２】
活動把握システム１は、身体情報発信端末２と身体情報受信端末３とから構成されている。身体情報発信端末２は、患者の身体に装着し、身体情報受信端末３は、身体情報発信端末２の装着者以外の者、例えば、介護者が携帯する。
身体情報発信端末２の送受信手段５４によって送信された活動情報は、身体情報受信端末３に設ける無線通信回路によって受信され、受信された情報は表示装置３６に表示される。身体情報受信端末３は、無線通信回路によって身体情報発信端末２との間で電波もしくは赤外線を利用して情報を送受信する。無線通信回路については後述する。
【００２３】
活動情報とは、各センサーを有する検出手段５５によって検出する身体の情報と行動の情報と、時間に関する情報である時刻やカレンダーの情報と、予め格納してある個人情報や気象情報と、を利用して得るものである。
すなわち、第1の温度センサー１６と第２の温度センサー１７とで検出する身体の情報と、振動センサー１８と加速度センサー１９と光センサー２０とで検出する行動の情報と、計時手段によって検出する時刻情報と、カレンダー情報生成手段によって得られるカレンダー情報と、個人情報格納手段５０に格納している個人情報と、気象情報格納手段５１に格納している気象情報と、によって判断する情報である。
【００２４】
身体情報発信端末２は、検出手段５５と個人情報格納手段５０と気象情報格納手段５１と計時手段５２と判断手段５３と送受信手段５４と警告手段５７とを有している。
検出手段５５は、身体の皮膚表面の温度を検出する第1の温度センサー１６と、気温を検出する第２の温度センサー１７と、身体の動作を振動として検出する振動センサー１８
と、身体情報発信端末２に加わる衝撃や急激な加速度を検出する加速度センサー１９と、身体情報発信端末２の周囲の照度を検出する光センサー２０と、から構成している。
【００２５】
図１では、第１の温度センサー１６と第２の温度センサー１７とは、隣接して設けるように記載しているが、これらの温度センサーは、身体の表面温度と気温という各々異なる温度を検出する必要があるから、互いの影響を受けないようにするため離間して設けることが好ましい。これについては後述する。
第1の温度センサー１６は、身体の皮膚表面の温度を検出するが、一般に、身体の本当の温度、すなわち、真の体温と皮膚表面の温度とは異なっている。真の体温を直接検出することは難しいため、一般には、身体の皮膚温度を検出し、その結果から計算などにより身体の真の体温を算出する方法が知られている。このように、ある値から別の値を導出することを外挿と呼ぶ。本発明の身体情報発信端末２では、計測した身体の皮膚表面の温度から、予め入力してある情報を用いて、真の体温を外挿することができる。これについても後述する。
【００２６】
個人情報格納手段５０は、身体情報発信端末２を装着する患者の情報を格納する。患者の情報とは、例えば、おおよその起床／就寝時間などの習慣情報や平穏時の体温、その他の情報である。
気象情報格納手段５１は、天候や気温の情報、季節ごとの平均気温などの環境情報を格納する。
【００２７】
計時手段５２は、時刻情報の計測を行う。カレンダー情報生成手段６２は、計時手段５２によって計測された時刻情報を利用してカレンダー情報を生成する。
【００２８】
警告手段５７は、患者の異常状態時に警告を発するものである。警告は、例えば、振動を発生したり、アラーム音などの音やランプの点灯／点滅などである。
【００２９】
判断手段５３は、検出手段５５の各種センサーにより検出する情報と、計時手段５２により計測する時刻情報と、時刻情報を利用して得るカレンダー情報と、個人情報格納手段５０に格納している情報と、時刻情報とカレンダー情報とに関係付けられて引き出される気象情報格納手段５１に格納している情報と、を利用して、身体情報受信端末３に送信する活動情報の判断を行うとともに、警告手段５７を使って警告を発するかどうかの判断を行うものである。
身体情報受信端末３に活動情報を送信する場合は、送受信手段５４によって送信する。送信された活動情報は、身体情報受信端末３の図示されていない無線通信回路によって受信され、表示装置３６に情報の表示が行われる。同時に警告手段５７を利用して、警告を発する。警告は、例えば、アラーム音などである。
警告手段５７は、身体情報発信端末２を装着している患者本人と周囲にいる者とに対して、患者が異常状態であることを警告するものである。特に、患者本人に異常状態を警告することで、その警告が刺激となり、異常状態からの復帰を催促することができる。これは例えば、患者が転倒などによって意識を失いそうになったときに、アラーム音などの刺激が意識を取り戻す手助けになるためである。
【００３０】
身体情報発信端末２の送受信手段５４が活動情報を送信し、身体情報受信端末３の図示されていない受信手段がその情報を受信することで、電波を利用した無線データ通信が行われた場合、身体情報受信端末３を持つ介護者と身体情報発信端末２を装着する患者とが離れた場所にいても、患者の身体情報を介護者が確認することが可能となる。
【００３１】
［身体情報発信端末回路ブロックの説明：図２］
図２は、本発明の活動把握システム１の身体情報発信端末２を構成する回路ブロック図
である。図１と図２とを用いて説明する。
図２において、１０は中央演算処理装置、１１は水晶発振回路、１２は水晶振動子、１３は格納装置、１４はランダムアクセスメモリ、１５はリードオンリーメモリ、２１は無線通信回路、２２は通信回路、２３は通信インタフェース、２４はＡ／Ｄ変換器、２５はコンパレータ回路、５６は入力手段である。図２において、図１と同一の構成には同一の番号を付与しているために説明を省略する。
【００３２】
本発明の実施形態においては、計時手段５２は、中央演算処理装置１０に内装している場合を例にしている。
個人情報格納手段５０と気象情報格納手段５１との制御機構と、判断手段５３の判断機構とは、動作プログラムとして図２に示す格納装置１３に格納し、また、カレンダー情報生成手段６２の生成機構も動作プログラムとして、格納装置１３に格納し、それらを中央演算処理装置１０が利用する場合を説明する。すなわち、動作プログラムや動作に必要なデータを格納装置１３に格納し、ソフトウェア的に動作をする場合を例にしている。
【００３３】
中央演算処理装置１０には、水晶振動子１２と水晶発振回路１１とによって発生したクロック信号が入力され、入力されたクロック信号を基準として中央演算処理装置１０が動作する。
計時手段５２は、中央演算処理装置１０に内装しているので、時間を計測（以下、計時という）する動作にこのクロック信号を利用する。例えば、クロック信号を分周して１秒のパルスを作成し、これを利用して時刻の情報である時刻情報を得るのである。
【００３４】
カレンダー情報生成手段６２は、時刻情報を利用して曜日や日付を算出する計算式やカレンダーデータマップなどから、カレンダー情報を得るものである。
本発明の活動把握システム１を最初に使用する際には、現在の時刻と年月日と曜日とを規定しておく必要がある。この作業によって、その後はカレンダー情報を自動で生成することができる。これは、知られている電子時計におけるカレンダー情報の生成と同様である。カレンダー情報の生成に必要な計算式やデータマップなどは格納装置１３のリードオンリーメモリ１５に格納している。
【００３５】
格納装置１３は、時刻情報やカレンダー情報や、図１に示す判断手段５３などの判断処理途中の情報などのデータを一時的に格納するランダムアクセスメモリ１４と身体情報発信端末２で実行される機能や動作プログラムなどを記録しているリードオンリーメモリ１５とから構成されており、中央演算処理装置１０と接続している。
【００３６】
格納装置１３にあるランダムアクセスメモリ１４は、身体情報発信端末２の機能を実行するために必要なデータと、計時手段５２によって計時する時刻情報とカレンダー情報生成手段６２によって得るカレンダー情報とを格納している。
リードオンリーメモリ１５には、図１に示す個人情報格納手段５０と気象情報格納手段５１と計時手段５２と判断手段５３と計時手段５２とカレンダー情報生成手段６２との動作プログラムを格納している。計時手段５２は、中央演算処理装置１０に内装され計時を行うが、得られた時刻情報を管理するための動作プログラムがリードオンリーメモリ１５に格納している。
本発明の実施形態においては、リードオンリーメモリ１５は、電気的書き換え可能なものであり、例えば、ＥＥＰＲＯＭを採用する。
【００３７】
リードオンリーメモリ１５に格納しているデータは、中央演算処理装置１０に読み込まれ、読み込まれたデータは中央演算処理装置１０の内部で処理が行われ、中央演算処理装置１０は読み込まれたデータに応じた信号を外部に出力する。
【００３８】
検出手段５５は、温度センサーである第１の温度センサー１６と第２の温度センサー１７と、振動センサー１８と、光センサー２０と、加速度センサー１９と、によって構成している。本発明の実施形態においては、第１の温度センサー１６と第２の温度センサー１７と光センサー２０とは、電圧検出型のセンサーを用い、これら３つのセンサーは、Ａ／Ｄ変換器２４に接続することによって、センサーの検出した情報であるアナログ電圧値をデジタル値に変換し、中央演算処理装置１０に読み込むことが可能となる。
【００３９】
温度センサーである第１の温度センサー１６は、身体の皮膚表面の温度を検出する。一般に、人体の体温は、皮膚表面の温度を体温とする場合と、この皮膚表面の温度から、身体の真の体温を外挿する場合とがある。一般に知られている電子体温計も身体の皮膚表面の温度を計測し、身体の真の体温を算出するものがある。
本発明の身体情報発信端末２も、患者の体温を皮膚表面の温度か真の体温か、どちらを体温とするかを選択することができる。
身体の皮膚表面の温度を測定し、この温度から、真の体温を外挿するには、外挿に必要な計算式とデータとを格納装置１３に格納しておき、それを中央演算処理装置１０が利用して計算によって求める。
平常時における患者の体温が日々の検温などにより知られている温度範囲に概ね入っており、そこから予め真の体温が外挿できる場合は、その体温値を患者の真の体温として入力手段５６を利用して入力しておくことができる。患者の身体の表面温度を患者の体温として用いる場合は、外挿のための計算を行わないような条件を入力手段５６を用いて入力しておく。
第２の温度センサー１７は、室温などの外気の温度を検出する。詳しくは、患者の身体の周囲の温度である。患者が部屋にいればそれは室温であり、就寝時に布団などの就寝具を利用していれば、就寝具と患者の身体との間の温度を検出する。
【００４０】
振動センサー１８は、身体情報発信端末２装着者である患者の動作を振動として検出する。本発明の実施形態においては、半導体素子を用いた振動センサー１８を採用し、身体情報発信端末２が振動した場合、振動センサー１８は振動の周期に応じた電圧値を交流信号として出力する。この交流信号は、コンパレータ回路２５によってパルス波形に変換され、中央演算処理装置１０に設ける図示しない外部割り込み端子に入力する。振動センサー１８が振動したことによって発生した中央演算処理装置１０の割り込み処理によって、患者が活動しているという判断が行われる。
【００４１】
加速度センサー１９は、身体情報発信端末２装着者である患者の急激な動作の検出を行う。本発明の実施形態においては、半導体素子を用いた加速度センサー１９を採用し、身体情報発信端末２に急激な加速度が加わった場合、加速度センサー１９は動きの強さに応じた電圧値を交流信号として出力する。この交流信号は、コンパレータ回路２５によってパルス波形に変換され、中央演算処理装置１０に設ける図示しない外部割り込み端子に入力する。加速度センサー１９で検出する加速度は、中央演算処理装置１０の割り込み処理によって、患者が急激な動作をしたとの判断が行われる。
【００４２】
光センサー２０は、身体情報発信端末２の周囲の照度の検出を行う。本発明の実施形態においては、半導体素子を用いた電圧検出型のセンサーであって、光発電素子を採用している。光発電素子において発電された電力は、照度を測定する他に、図示しない制御回路と充電可能な２次電池とにより充電され、身体情報発信端末２の動作に必要な駆動電力としても利用する。
【００４３】
無線通信回路２１は、図１に示す判断手段５３によって判断された活動情報を、電波もしくは赤外線を利用して図３に示す身体情報受信端末３に送信を行ったり、身体情報受信端末３からの情報を受信する送受信可能な回路であり、送受信可能なデータに変換するた
めの回路も有している。
例えば、個人情報格納手段５０に格納する個人情報や気象情報格納手段５１に格納する気象情報などを身体情報受信端末３の送受信可能な無線通信回路３９から、電波もしくは赤外線を利用して受信を行うものである。
無線通信回路２１は、中央演算処理装置１０と接続している。
【００４４】
計時手段５２は、中央演算処理装置１０に内装している。水晶振動子１２と水晶発振回路１１とによって発生したクロック信号を中央演算処理装置１０に入力し、中央演算処理装置１０内の分周回路などにより周期的なパルス（例えば、1秒のパルス）を生成し、この周期的なパルスを利用して時刻の計時を行うものである。この計時された時刻の情報は、リードオンリーメモリ１５に記録している動作プログラムなどによって、時刻情報の管理に用いられる。
さらに中央演算処理装置１０は、リードオンリーメモリ１５に記録しているカレンダー情報生成手段６２用の動作プログラムによって、計算式やデータマップを用いて、カレンダー情報を生成する。例えば、向こう１００年間の年月日と曜日とのデータマップを用意しておけば、時刻情報から計算によって本発明の活動把握システム１を使用するのに概ね問題の無い期間のカレンダー情報を生成することができる。
また、カレンダー情報には、個人的な日程の情報や、定期的に活動を行う活動の情報などを組み込むことができる。例えば、本発明の活動把握システム１を使用する使用者独自の休日情報など、公の休日／祭日情報とは異なるプライベートなカレンダー情報もカレンダー情報として格納しておくこともできる。すなわち、生成したカレンダー情報を利用者が任意でその一部もしくは全部を書き換えることができるのである。この書き換えについては、入力手段５６を利用して行う。
【００４５】
入力手段５６は、通信に必要な要素、例えば、通信回路や通信インタフェース、もしくは、釦やスイッチなどを含むものであり、情報を入力する手段である。
入力手段５６は、中央演算処理装置１０と接続されており、入力手段５６が操作されると、中央演算処理装置１０では割込み処理が行われ、入力手段５６が操作されたことを直ちに関知することが可能である。
図２に示す例では、入力手段５６は、通信により情報を入力する例を示している。入力手段５６は、通信回路２２と通信インタフェース２３とを有する。通信インタフェース２３は、中央演算処理装置１０と接続している通信回路２２によって、電気信号を発生し、通信インタフェース２３を介して外部に電気信号を出力することができる。また、通信インタフェース２３から入力された電気信号は、通信回路２２で電気信号を中央演算処理装置１０が処理可能なデータに変換される。
入力手段５６を利用して情報を入力するときは、図示しないホストコンピュータなどの入力装置を利用し、この入力装置から所望の情報を送信することができる。
【００４６】
カレンダー情報の一部もしくは全部の書き換えは、入力手段５６を利用して行われる。個人的な休日情報を含んだカレンダー情報を、例えば、ホストコンピュータなどの入力装置を利用して通信インタフェース２３から電気信号として入力する。通信回路２２で電気信号を中央演算処理装置１０が処理可能なデータに変換し、変換されたデータは、身体情報発信端末２のランダムアクセスメモリ１４に格納しているカレンダー情報の書き換えを行う。また、ホストコンピュータなどに対して入力装置５６を利用してカレンダー情報を一旦送信し、カレンダー情報を更新した後、再び身体情報送信端末２へ情報を送信してもかまわない。
【００４７】
もちろん、本発明においては、これに限定されるものではなく、入力手段５６は、釦やスイッチを利用して、利用者が直接情報を入力するようにしてもよい。また、身体情報受信端末３の無線通信回路３９を利用して入力手段５６を介して情報を入力することもでき
る。重要なことは、カレンダー情報などは後からその一部または全部を書き換えることができるという点である。
【００４８】
警告手段５７は、振動機器やアラーム、光による表示手段などから構成されており、身体情報発信端末２を装着している患者本人とその周囲にいる者とに異常状態を警告することで、患者の異常状態からの復帰を促進させるものである。
警告手段５７は、例えば患者が転倒などをし、失神などの意識を失う状況に陥ったとしても、このような状況を周囲に伝えることができるとともに、患者自身が意識を取り戻す手助けをすることができる。
【００４９】
［身体情報受信端末回路ブロックの説明：図３］
図３は、本発明の活動把握システム１の身体情報受信端末３を構成する回路ブロック図である。
図３において、３０は中央演算処理装置、３１は水晶発振回路、３２は水晶振動子、３３は格納装置、３４はランダムアクセスメモリ、３５はリードオンリーメモリ、３６は表示装置、３７は表示装置駆動回路、３８は入力装置、３９は無線通信回路である。図３に示す構成では、中央演算処理装置３０と格納装置３３に格納している情報（データ）や動作プログラムとの組み合わせにより、ソフトウェア的に動作を制御できる例を示している。
【００５０】
中央演算処理装置３０には、水晶振動子３２と水晶発振回路３１とによって発生したクロック信号が入力され、入力されたクロック信号を基準として中央演算処理装置３０が動作する。
【００５１】
入力装置３８は、中央演算処理装置３０と接続されており、入力装置３８が操作されると、中央演算処理装置３０では割込み処理が行われ、入力装置３８が操作されたことを直ちに関知することが可能である。入力装置３８を用いて、身体情報受信端末３の電源のオン、オフを行うこともできる。
【００５２】
表示装置３６は、中央演算処理装置３０に接続している表示装置駆動回路３７によって駆動され、表示装置３６に文字の表示や、画像データの表示を行う。表示装置３６は、液晶表示装置などを利用することができる。
【００５３】
格納装置３３は、身体情報発信端末２から送信された情報などのデータを一時的に格納するランダムアクセスメモリ３４と、身体情報受信端末３で実行される機能や動作プログラムなどを記録しているリードオンリーメモリ３５とから構成されており、中央演算処理装置３０と接続している。
【００５４】
格納装置３３にあるランダムアクセスメモリ３４は、身体情報受信端末３の機能を実行するために必要なデータと身体情報発信端末２から送信された情報とを格納している。リードオンリーメモリ３５には、身体情報受信端末３の動作プログラムを格納している。
【００５５】
リードオンリーメモリ３５に格納しているデータは、中央演算処理装置３０に読み込まれ、読み込まれたデータは中央演算処理装置３０の内部で処理が行われ、中央演算処理装置３０は読み込まれたデータに応じた信号を外部に出力する。
【００５６】
無線通信回路３９は、身体情報発信端末２から電波もしくは赤外線を利用して送信された情報を受信したり、入力手段３８によって入力された情報を身体情報発信端末２に送信することができる。
無線通信回路３９は、身体情報発信端末２の個人情報格納手段５０に格納する個人情報
や気象情報格納手段５１に格納する気象情報などを電波もしくは赤外線を利用して送信を行うことが可能なデータに変換するための回路も有しており、無線データとして送受信されてきたデータを、中央演算処理装置３０で処理を行うことが可能なデータに変換することができる。
無線通信回路３９は、中央演算処理装置３０と接続している。
【００５７】
［温度センサーの配置の説明：図４］
図４は、身体の皮膚表面の温度を検出する第1の温度センサー１６と、気温を検出する第２の温度センサー１７とを、身体情報発信端末２に配置した様子を示した図である。
【００５８】
本発明の実施形態においては、身体情報発信端末２は腕時計型として腕への装着を想定している。このように腕時計型の形状とすることによって、患者に違和感やストレスを感じさせることが無くなるのである。
【００５９】
図４（Ａ）は、腕時計型の身体情報発信端末２を文字盤が見える方向から見た平面図である。気温の検出を行う第２の温度センサー１７は、リューズの反対側の外装ケース脇に配置し、直接身体に接しない場所に配置を行っている。
【００６０】
図４（Ｂ）は、腕時計型の身体情報発信端末２を文字盤の裏側から見た平面図である。身体の皮膚表面の温度を検出する第1の温度センサー１６は、身体情報発信端末２の文字盤の裏側のケース内側に配置され、身体と接触するケースを介して身体の皮膚表面の温度の検出を行う。無論、第1の温度センサー１６の設置の方法は、これに限定されるものではない。文字盤の裏側のケースに開口部を設け、そこに第1の温度センサー１６を設けても構わない。
【００６１】
第1の温度センサー１６と第２の温度センサー１７との配置は一例であって、重要な点は、この二つの温度センサーが同一の温度を測らないという点である。したがって、第1の温度センサー１６は文字盤の裏側のケース内側でなくてもよく、バンド部分でもよい。第２の温度センサー１７もリューズの反対側の外装ケース脇ではなくてもよく、例えば、文字盤の１２時方向の外装ケースに配置してもよいのである。
【００６２】
［個人情報格納手段の説明：図２、図５］
図５は、身体情報発信端末２を装着する患者の個人情報が格納している個人情報格納手段５０の構成を示した図である。図２と図５とを用いて説明する。
図５において、１００は地域情報、１０１は情報送信先情報、１０２は端末装着者情報、１０３は端末装着者特有情報である。
【００６３】
本発明の実施形態において、個人情報格納手段５０は、身体情報発信端末２の格納装置１３に設ける電気的書き換え可能なリードオンリーメモリ１５に格納する。
【００６４】
個人情報格納手段５０は、患者が居住している地域情報１００と、身体情報発信端末２で取得した活動情報の送信先を指定する情報送信先情報１０１と、端末のＩＤ照合用の情報である端末装着者情報１０２と、患者の特有情報（例えば、体温情報、習慣情報など）と、から構成している。
図５に図示する例では、地域情報１００に「東京都西東京市」、情報送信先情報１０１に「端末１」、端末装着者情報１０２に「端末番号００１」、端末装着者特有情報１０３に「“体温３５．６度”、“身体の皮膚表面温度を体温に利用”、“起床時間６時”、“就寝時間２１時”、“施設内温度管理有り”、“施設内設定温度２７度”」の情報を格納している。
【００６５】
また、個人情報格納手段５０に格納している情報は、入力手段５６を用いてその内容を書き換えることもできる。本発明の実施形態においては、入力手段５６は、通信により情報の入力が行われる場合について説明する。
例えば、図示しないホストコンピュータなどから入力手段５６を利用して受信した個人情報は、通信インタフェース２３から電気信号として入力が行われ、通信回路２２で電気信号を中央演算処理装置１０が処理可能なデータに変換される。変換されたデータは、身体情報発信端末２の格納装置１３に設けられている電気的書き換え可能なリードオンリーメモリ１５の一部である、個人情報格納手段５０の情報の書き換えを行う。
【００６６】
［気象情報格納手段の説明：図２、図６］
図６は、身体情報発信端末２に格納している気象情報格納手段５１の内容を示した図である。図２と図６とを用いて説明する。
図６において、１２０は地域情報、１２１は日の出／日の入時刻情報、１２２は平年気温情報、１２４は気象情報である。図６の例においては、気象情報１２４は、１２４ａから１２４ｄまで４つの情報を気象情報格納手段５１に格納している場合を説明する。
【００６７】
本発明の実施形態において、気象情報格納手段５１は、身体情報発信端末２の格納装置１３に設ける電気的書き換え可能なリードオンリーメモリ１５に格納する。
【００６８】
気象情報格納手段５１は、気象情報１２４がどの地域の情報であるかを示す地域情報１２０と、地域情報１２０が示す地域での日の出時刻と日の入時刻とを格納している日の出／日の入時刻情報１２１と、地域情報１２０が示す地域での月ごとの平年平均気温と、平年最高気温と、平年最低気温とを格納している平年気温情報１２２と、から構成する情報を、複数格納している。
例えば、気象情報１２４ａには首都圏の特定地域の気象情報、気象情報１２４ｂには東北地方の特定地域の気象情報、気象情報１２４ｃには関西地方の特定地域の気象情報、気象情報１２４ｄには九州地方の特定地域の気象情報などである。図６に示す例では、地域情報１２４ａは、東京都西東京市の気象情報を示している。
【００６９】
また、気象情報格納手段５１に格納している情報は、入力手段５６を用いてその内容を書き換えることもできる。本発明の実施形態においては、入力手段５６は、通信により情報の入力が行われる場合について説明する。
例えば、図示しないホストコンピュータなどから入力手段５６を利用して受信した気象情報は、通信インタフェース２３から電気信号として入力が行われ、通信回路２２で電気信号を中央演算処理装置１０が処理可能なデータに変換される。変換されたデータは、身体情報発信端末２の格納装置１３に設けられている電気的書き換え可能なリードオンリーメモリ１５の一部である、気象情報格納手段５１の情報の書き換えを行う。
【００７０】
気象情報格納手段５１の内容を書き換えることができることによって、今まで格納されていた地域除法１２０と異なる地域に移転した場合でも、同じ身体情報発信端末２を使い続けることができる。
【００７１】
［中央演算処理装置の割り込み処理の説明：図７］
図７は、身体情報発信端末２に用いる中央演算処理装置１０においての割り込み処理の流れを示したフロー図である。
本発明の実施形態において、振動センサー１８と加速度センサー１９とは、半導体素子を用いたセンサーを採用している。振動センサー１８は、振動の周期に応じた交流波形を電圧出力する。電圧出力された交流波形は、コンパレータ回路２５によってパルス波形に変換され、中央演算処理装置１０に設けられている外部割り込み端子に入力している。加速度センサー１９は、動きの強さに応じた交流波形を電圧出力する。電圧出力された交流
波形は、コンパレータ回路２５によってパルス波形に変換され、中央演算処理装置１０に設けられている外部割り込み端子に入力している。
【００７２】
中央演算処理装置１０において、割り込みが発生した場合、振動センサー１８での割り込みか判断を行う。（ステップ１）
【００７３】
もし、割り込み要因が振動センサー１８からの割り込みと判断された場合、前回検出された振動センサー１８の割り込み処理から経過した時間を格納している振動センサー検出タイマーの初期化を行う。（ステップ２）
【００７４】
振動センサーの状態を表す振動センサー情報に、振動を検出したという情報を保持し、割り込み処理を終了する。（ステップ３）
【００７５】
ステップ１において、振動センサー１８での割り込み処理と判断されなかった場合、割り込み要因が加速度センサー１９での割り込みであるか判断を行う。（ステップ４）
【００７６】
もし、割り込み要因が加速度センサー１９からの割り込みと判断された場合、加速度センサーの状態を表す加速度センサー情報に、加速度を検出したという情報を保持する。（ステップ５）
【００７７】
割り込み要因が加速度センサー１９からの割り込みと判断した場合、身体情報発信端末２の装着者が、転倒した可能性があるため、すぐさま活動情報を身体情報受信端末３に対して送信を行う必要がある。検出手段５５で検出された情報と、計時手段５２の時刻情報、カレンダー情報と、個人情報格納手段５０の情報と、気象情報格納手段５１の情報とを、活動情報として、送受信手段５４を用いて情報の送信を行う。（ステップ６）
【００７８】
ステップ４において、加速度センサー１９での割り込み処理と判断されなかった場合、割り込み要因がタイマーでの割り込みであるか判断を行う。（ステップ７）。
【００７９】
割り込み要因がタイマー割り込みと判断した場合、前回検出された振動センサー１８の割り込み処理から経過した時間を格納している振動センサー検出タイマーの値を加算する。（ステップ８）
【００８０】
ステップ７において、加速度センサー１９での割り込み処理と判断されなかった場合、割り込み処理を終了する。
【００８１】
［判断手段での処理の説明：図５、図８から図１２］
図８と図９と図１０とは、身体情報発信端末２の検出手段５５で検出された情報と、個人情報格納手段５０と、気象情報格納手段５１と、計時手段５２とから得られる情報と、を利用した活動情報を処理する際の処理を示したフロー図である。図８と図９とに示すフローは、判断手段５３での処理を示し、図１０に示すフローは、送受信手段５４での処理を示している。
図１１は、身体情報発信端末２の判断手段５３で判断される端末装着状態の条件を示すマトリックス図である。
図１２は、身体情報発信端末２の判断手段５３で判断される端末照度の条件を示すマトリックス図である。
図８から図１０のフロー図と図１１および図１２のマトリックス図とを交互に参照しながら説明を行う。
【００８２】
まず、身体の温度を検出する第1の温度センサー１６と気温を検出する第２の温度セン
サー１７とから温度の取得を行う。（ステップ１０）
ちなみに、第1の温度センサー１６は身体の皮膚表面の温度を測定するものであり、第1の温度センサー１６単体で身体の真の体温を測るものではない。
【００８３】
つぎに、身体情報発信端末２が患者に装着されているかどうかの判断を行う。第１の温度センサー１６と第２の温度センサー１７とから取得した温度が、ほぼ同じであるかどうかの比較を行う。これが図１１に示す第１条件である。（ステップ１１）
【００８４】
患者が身体情報発信端末２を装着していないときには、第１の温度センサー１６は人体の皮膚表面の温度ではなく、外気の温度を計測してしまうので、第１の温度センサー１６で検出する温度と第２の温度センサー１７で検出する温度とは等しくなる。したがって、第１の温度センサー１６で検出する温度と第２の温度センサー１７で検出する温度とが、明らかに等しくないと判断された場合、患者は身体情報発信端末２を装着していると判断する。そして、個人情報格納手段５０の端末装着者特有情報１０３の確認を行う。（ステップ１２）
【００８５】
図５に示す端末装着者特有情報１０３に「身体の皮膚表面温度を体温に利用」との情報が格納している場合には、第１の温度センサー１６の情報を患者の体温として利用する。
もし、端末装着者特有情報１０３に「身体の真の体温を利用」との情報が格納している場合には、第１の温度センサー１６の情報である身体の皮膚表面の温度から外挿し、身体の真の体温の算出を行い、第１の温度センサー１６からの情報を算出した真の体温と置き換えを行う。（ステップ１３）
【００８６】
第１の温度センサー１６で検出する温度と第２の温度センサー１７で検出する温度とが明らかに等しくないと判断する場合であるから、身体情報発信端末２が身体に装着されていると判断し、“端末装着中“のフラグを立てる。そして、このフラグを利用して温度センサーの状態を表す温度センサー情報に、身体情報発信端末２が身体に装着されていることを示す情報の保持を行う。さらに、温度センサーの状態を表す温度センサー情報に、第１の温度センサー１６で検出する温度と、第２の温度センサー１７で検出する温度との保持を行う。（ステップ１４）
【００８７】
もしステップ１１において、第１の温度センサー１６で検出する温度と第２の温度センサー１７で検出する温度とから取得した温度が、ほぼ同じであると判断された場合、患者は身体情報発信端末２を装着していない可能性があると判断する。そして、個人情報格納手段５０の端末装着者特有情報１０３の確認を行う。（ステップ１５）
【００８８】
図５に示す端末装着者特有情報１０３に「身体の皮膚表面温度を体温に利用」と情報を格納している場合には、第１の温度センサー１６の情報を患者の体温として利用する。
もし、端末装着者特有情報１０３に「身体の真の体温を利用」との情報を格納している場合には、第１の温度センサー１６の情報である身体の皮膚表面の温度から、身体の真の体温の算出を行い、第１の温度センサー１６からの情報を算出した真の体温と置き換えを行う。（ステップ１６）
【００８９】
患者が身体情報発信端末２を装着していない可能性を確認するため、別の条件で身体情報発信端末２が身体に装着されているかどうかの判定を行う。
個人情報格納手段５０に格納している地域情報１００と、この地域情報１００に対応する気象情報格納手段５１に格納している地域情報１２０の平年気温情報１２２と、計時手段５２で計時している時刻情報と、カレンダー情報生成手段６２で得られるカレンダー情報と、の取得を行う。（ステップ１７）
【００９０】
気温を検出する第２の温度センサー１７で検出する温度が、気象情報格納手段５１に格納している平年気温情報１２２の平年最低気温から平年最高気温の間の気温であるか判断を行う。これが図１１に示す第２条件である。（ステップ１８）
【００９１】
ステップ１８において、気温を検出する第２の温度センサー１７で検出する温度が、気象情報格納手段５１に格納している平年気温情報１２２の平年最低気温から平年最高気温の間の気温でないと判断された場合、身体情報発信端末２が布団など就寝器具に入るなどして身体の皮膚表面温度とほぼ同じになってしまったと判断し、“端末装着就寝中”のフラグを立てる。そして、このフラグを利用して温度センサーの状態を表す温度センサー情報に、就寝中であることを示す情報の保持を行う。さらに、温度センサーの状態を表す温度センサー情報に、第１の温度センサー１６で検出する温度と、第２の温度センサー１７で検出する温度との保持を行う。（ステップ１９）
【００９２】
ステップ１８において、気温を検出する第２の温度センサー１７で検出する温度が、気象情報格納手段５１に格納している平年気温情報１２２の平年最低気温から平年最高気温の間の気温と判断された場合、どの条件にも一致しないため、身体情報発信端末２は身体に装着されていないと判断し、“端末未装着”のフラグを立てる。そして、このフラグを利用して温度センサーの状態を表す温度センサー情報に、身体情報発信端末２が未装着であることを示す情報の保持を行う。さらに、温度センサーの状態を表す温度センサー情報に、第１の温度センサー１６で検出する温度と、第２の温度センサー１７で検出する温度との保持を行う。（ステップ２０）
【００９３】
以上の判断の状態を図１１に示す。第1条件と第２条件とを利用して患者が端末を装着しているかどうかの判断ができる。
【００９４】
つぎに、光センサーが検出した照度の情報の取得を行う。本発明の実施の形態において採用する光センサーは、明るいところではアナログ電圧値が高く検出され、暗くなるに従ってアナログ電圧値は低く検出されるものを想定して説明する。また明かりが存在しない真っ暗な場所においては、光センサーはアナログ電圧値を検出されない。（ステップ３０）
【００９５】
図５に示す個人情報格納手段５０の端末装着者特有情報１０３に、施設内温度管理有りという情報が格納しているかの判断を行う。（ステップ３１）
【００９６】
もしステップ３１での判断で、個人情報格納手段５０の端末装着者特有情報１０３に、施設内温度管理有りと情報が格納されていなかった場合、光センサーが検出した照度が明るいかの判断を行う。本発明の実施の形態において、明るいと定義する照度は、晴天時に光センサーで計測する値とする。これが図１２に示す第３条件である。（ステップ３２）
【００９７】
ステップ３２での判断で、光センサーが検出した照度が明るいと判断された場合、身体情報発信端末２に太陽光が当たっていると判断され、“外出中”のフラグを立てる。そして、このフラグを利用して光センサーの状態を表す光センサー情報に、外出中であることを示す情報の保持を行う。（ステップ３３）
【００９８】
ステップ３２での判断で、光センサーが検出した照度が明るくないと判断された場合、光センサーが検出した照度が暗いかの判断を行う。これも図１２に示す第３条件である。（ステップ３４）
【００９９】
ステップ３４での判断で、光センサーが検出した照度が暗いと判断された場合、身体情報発信端末２を布団など就寝器具に入れるか、患者が就寝中であるため室内の明かりを消
灯している状態と判断され、“就寝中” のフラグを立てる。そして、このフラグを利用して光センサーの状態を表す光センサー情報に、就寝中であることを示す情報の保持を行う。（ステップ３５）
【０１００】
ステップ３４での判断で、光センサーが検出した照度が暗いと判断されなかった場合、身体情報発信端末２に室内の照明器具などの太陽光に比べて弱い明かりが当たっていると判断され、“室内” のフラグを立てる。そして、このフラグを利用して光センサーの状態を表す光センサー情報に、室内にいることを示す情報の保持を行う。（ステップ３６）
【０１０１】
ステップ３２の判断で、光センサーが検出した照度が明るいと判断された場合、身体情報発信端末２に太陽光が当たっているのか、それとも明るい室内にいるのかの判断を行うため、別の条件で判定を行う。
個人情報格納手段５０に格納している地域情報１００と、この地域情報１００に対応する気象情報格納手段５１に格納している地域情報１２０の日の出／日の入時刻情報１２１と、計時手段５２で計時している時刻情報と、カレンダー情報生成手段６２で得られるカレンダー情報と、を利用して、日の出／日の入時刻情報１２１の取得を行う。（ステップ３７）
【０１０２】
ステップ３７において取得した日の出／日の入時刻情報１２１と、計時手段５２で計測している時刻情報との比較を行い、太陽が出ている時刻であるかの判断を行う。これが図１２に示す第４条件である。（ステップ３８）
【０１０３】
もし、ステップ３８での判断で、太陽が出ていない時刻と判断された場合には、外出している可能性が低いと判断して、“外出中” のフラグを“室内”に書き換える。そして、このフラグを利用して光センサーの状態を表す光センサー情報に、室内にいることを示す情報に修正を行う。（ステップ３９）
【０１０４】
もし、ステップ３１での判断で、個人情報格納手段５０の端末装着者特有情報１０３に、施設内温度管理有りという情報が格納している場合、個人情報格納手段５０の端末装着者特有情報１０３に格納している施設内設定温度の取得を行う。（ステップ４０）
【０１０５】
気温を検出する第２の温度センサー１７で検出した温度が、端末装着者特有情報１０３に格納している施設内設定温度とほぼ等しいかの判断を行う（ステップ４１）
【０１０６】
もし、ステップ４１での判断で、気温を検出する第２の温度センサー１７で検出した温度が、端末装着者特有情報１０３に格納している施設内設定温度とほぼ等しいと判断された場合、光センサーの情報に関らず、光りセンサー情報のフラグを“室内”に設定する。
【０１０７】
もし、ステップ４１での判断で、気温を検出する第２の温度センサー１７で検出した温度が、端末装着者特有情報１０３に格納している施設内設定温度と等しくないと判断された場合、端末装着者特有情報１０３に、施設内温度管理有りという情報が格納していない場合と同じく、ステップ３２からの処理を行う。
【０１０８】
以上の判断の状態を図１２に示す。第３条件と第４条件とを利用して患者が外出中であるか室内にいるか、就寝中であるかなどの判断ができる。
【０１０９】
つぎに、判断手段５３によって活動状況の判断が行われた情報である、振動センサー情報と加速度センサー情報と温度センサー情報と光センサー情報との取得を行う。（ステップ５０）
【０１１０】
身体情報発信端末２から身体情報受信端末３へ活動情報の送信を行うために、身体情報発信端末２の端末装着者情報１０２と情報送信先情報１０１と端末装着者特有情報１０３とを、個人情報格納手段５０から取得する。（ステップ５１）
【０１１１】
ステップ４０で取得した情報とステップ５１で取得した情報とによって、身体情報受信端末３へ活動情報の送信を行う。（ステップ５２）
【０１１２】
身体情報発信端末２で活動情報の検出が行われる場合、検出手段５５と送受信手段５４と判断手段５３とで処理が行われるが、設定された間隔で繰り返して活動情報の検出を行うことが可能であり、この繰り返し期間を任意に設けることも可能である。この活動情報の繰り返し検出の有無は、入力手段５６から設定することができる。
【０１１３】
繰り返し期間を設けることによって、図１０のステップ５２に示す情報の送信が行われた場合、中央演算処理装置１０は休止状態となり、割り込み処理しか受け付けない状態となる。繰り返し期間をカウントするタイマーによって、繰り返し期間の終了を意味する割り込みを発生させ、中央演算処理装置１０が休止状態から復帰し、図８のステップ１０から再び処理が開始される。
【０１１４】
さらに繰り返し期間を設けることによって、身体情報発信端末２の消費電力を押さえることが可能となる。加速度センサー１９によって転倒などの急激な運動が検出された場合など、繰り返し期間を短く設定することによって、情報の送信間隔を短く身体情報受信端末３に情報送信することが可能となり、より詳細な活動状態を把握することも可能となる。
【０１１５】
［身体情報受信端末での情報表示の説明：図１３］
図１３は、身体情報発信端末２から送信された情報が、身体情報受信端末３で受信され表示装置３６に表示する様子を示した図である。
【０１１６】
身体情報発信端末２の検出手段５５によって検出された活動情報は、身体情報発信端末２の格納装置１３に設けられているリードオンリーメモリ１４に保持される。図１３に示す例では、リードオンリーメモリメモリ１４に保持している活動情報は、振動センサー情報「検出」、振動センサー検出タイマー「１分」、加速度センサー情報「なし」、温度センサー情報「端末装着中、第１の温度センサー情報：３５度、第２の温度センサー情報：２５度」、光センサー情報「室内」である。計時手段５２で計時している時刻情報からの取得情報は、「１５：３０」、この時刻情報を利用してカレンダー情報生成手段６２で得られるカレンダー情報は、「２００４年６月１日」である。個人情報格納手段５０からの取得情報は、情報送信先「端末１」、端末装着者「端末番号００１」、「“体温３５．６度”、“身体の皮膚表面温度を体温に利用”、“起床時間６時”、“就寝時間２１時”、“施設内温度管理有り”」である。これらを送受信手段５４によって、身体情報受信端末３に活動情報としての送信を行う。
【０１１７】
身体情報受信端末３の図示されていない受信手段によって受信された情報は、格納装置３３にあるランダムアクセスメモリ３４に格納され、リードオンリーメモリ３５に格納している身体情報受信端末３の動作プログラムによって、表示装置３６に情報の表示が行われる。図１３に示す例では、表示装置３６には、患者の状態を文字で表現するように示しているが、もちろんこれに限定するものではない。身体情報発信端末２からの活動情報をグラフで表示したりアイコンのような絵文字で表現したりしても構わない。それらの動作は、格納装置３３のリードオンリーメモリ３５に動作プログラムとして格納しておけば、用途に応じて切り換えることも可能である。
【０１１８】
図１３に示すように、身体情報受信端末３を携帯する介護者は、身体情報発信端末２からの情報を、身体情報発信端末２の近くにいることなく得ることが可能である。この情報から、患者の状態を把握することができるため、患者の転倒などの危険予測を行うことも可能である。例えば、身体情報受信端末３の表示装置３６に表示している情報が、１１時現在の情報、装着状態の検出が「装着中」、起床時間が６時、就寝時間が２１時、装着者の活動状態が「活動中」という内容の情報であったとする。この状態において、活動の検出時間の間隔が３０分経過している場合、日中であるため就寝中であるとは考にくく、なぜ３０分もの間、患者が活動していないのかと気がつく。この結果、介護者は、患者の様子が通常の状態ではないと予測することが可能となる。
【０１１９】
また、本発明の身体情報発信端末３は、複数のセンサーを備え、個人情報や気象情報や時刻情報、カレンダー情報などから患者の状態を判断するために、誤報が少ないという特徴を有するものである。
【産業上の利用可能性】
【０１２０】
本発明の活動把握システムは、より簡便な手法で身体情報発信端末の装着者の異常状態の検出が可能であるから、介護の支援システムに適する。さらに、患者の異常状態の検出に大掛かりな装置を必要としないため、疾病や加齢などの患者の介護に用いるシステムとして好適である。
【図面の簡単な説明】
【０１２１】
【図１】本発明の活動把握システム全体を示す概略図である。
【図２】本発明の活動把握システムの身体情報発信端末を構成する回路ブロック図である。
【図３】本発明の活動把握システムの身体情報受信端末を構成する回路ブロック図である。
【図４】本発明の活動把握システムの身体情報発信端末の第１の温度センサーと第２の温度センサーとを装着した様子を示した図である。
【図５】本発明の活動把握システムの身体情報発信端末の個人情報格納手段に格納している情報の構成を示したブロック図である。
【図６】本発明の活動把握システムの身体情報発信端末の気象情報格納手段に格納している情報の構成を示したブロック図である。
【図７】本発明の活動把握システムの身体情報発信端末の中央演算処理装置での割り込み処理の流れを示すフロー図である。
【図８】本発明の活動把握システムの身体情報発信端末の判断手段および送受信手段での処理の流れを示すフロー図である。
【図９】本発明の活動把握システムの身体情報発信端末の判断手段および送受信手段での処理の流れを示すフロー図である。
【図１０】本発明の活動把握システムの身体情報発信端末の判断手段および送受信手段での処理の流れを示すフロー図である。
【図１１】本発明の活動把握システムの身体情報発信端末の判断手段での端末装着状態を判断する条件を示すマトリックス図である。
【図１２】本発明の活動把握システムの身体情報発信端末の判断手段での端末照度を判断する条件を示すマトリックス図である。
【図１３】本発明の活動把握システムの身体情報受信端末で情報を受信した場合の表示例を示した図である。
【符号の説明】
【０１２２】
１  活動把握システム
２  身体情報発信端末
３  身体情報受信端末
１０  中央演算処理装置
１１  水晶発振回路
１２  水晶振動子
１３  格納装置
１４  ランダムアクセスメモリ
１５  リードオンリーメモリ
１６  第１の温度センサー
１７  第２の温度センサー
１８  振動センサー
１９  加速度センサー
２０  光センサー
２１  無線通信回路
２２  通信回路
２３  通信インタフェース
２４  Ａ／Ｄ変換器
２５  コンパレータ回路
３０  中央演算処理装置
３１  水晶発振回路
３２  水晶振動子
３３  格納装置
３４  ランダムアクセスメモリ
３５  リードオンリーメモリ
３６  表示装置
３７  表示装置駆動回路
３８  入力装置
３９  無線通信回路
５０  個人情報格納手段
５１  気象情報格納手段
５２  計時手段
５３  判断手段
５４  送受信手段
５５  検出手段
５６  入力手段
５７  警告手段
６２  カレンダー情報生成手段
１００  地域情報
１０１  情報送信先情報
１０２  端末装着者情報
１０３  端末装着者特有情報
１２０  地域情報
１２１  日の出／日の入時刻情報
１２２  平年気温情報
１２４  気象情報
【図１】
2006055189.tif 000003
【図２】
2006055189.tif 000004
【図３】
2006055189.tif 000005
【図４】
2006055189.tif 000006
【図５】
2006055189.tif 000007
【図６】
2006055189.tif 000008
【図７】
2006055189.tif 000009
【図８】
2006055189.tif 000010
【図９】
2006055189.tif 000011
【図１０】
2006055189.tif 000012
【図１１】
2006055189.tif 000013
【図１２】
2006055189.tif 000014
【図１３】
2006055189.tif 000015